(57)【特許請求の範囲】
【請求項１】
扉体内に収容され、デッドボルト操作入力部を時計、反時計回りに所定角度回転させてデッドボルトをドア枠のデッドボルト係合孔に進退させて扉体の施解錠を行う箱錠と、
扉体外部から操作可能なサムターンに加えられた回転操作力を箱錠のデッドボルト操作入力部に伝達する回転シャフトと、
真正コード信号を受信した際に制御部から出力される駆動信号により電動駆動され、前記回転シャフトに対して該回転シャフト側からの動力伝達が不可能に回転操作力を伝える電動駆動部とを有し、
真正コード信号の発信とサムターンへの回転操作の付与のいずれかの操作により箱錠の施解錠操作が可能な電気錠であって、
前記電動駆動部は、制御部からの駆動信号により駆動されるモータと、
モータの回転を減速する減速歯車列の最終段ギアにより真正コード信号の受信毎に一往復駆動され、原位置において回転シャフトの回転領域外に位置して回転シャフトからの力の伝達が遮断されるとともに、往経路上で回転シャフトに干渉して回転操作を与える往復動作体とを有する電気錠。
【請求項２】
前記回転シャフトには、往復動作体の動作経路上に配置され、施解錠操作によりいずれか一方が交互に往復動作体に接近する一対のピンが回転中心に対して点対称位置に突設され、
往復動作体の往復動作により接近側のピンを非接近位置に移動させて回転シャフトに交互に反対方向の回転力を伝達する請求項１記載の電気錠。
【請求項３】
前記往復動作体は、リンク保持体と、
リンク保持体に揺動自在に枢支され、トーションスプリングにより中立位置に保持される揺動リンクとを有し、
揺動リンクの押圧部により接近側のピンを非接近位置に移動させるとともに、揺動リンクを押し下げ側のピンの方向に揺動させ、接近位置に移動してくる他のピンとの干渉を防止する請求項２記載の電気錠。
【請求項４】
前記モータは制御部からの駆動信号の発信をトリガとして回転駆動が開始されるとともに、最終段ギアには一回転した際にモータの回転を停止するスイッチを動作させるカム部が設けられる請求項２または３記載の電気錠。
【請求項５】
制御部からの駆動信号により駆動されるモータと、
モータにより最終段ギアを減速回転させる減速歯車列と、
最終段ギアが一回転した際にモータの駆動を停止するスイッチと、
減速歯車列の回転軸と平行な軸回りに回転自在で、回転中心に対して点対称位置に一対のピンを備えた回転シャフトと、
最終段ギアの回転により一往復動作し、トーションスプリングにより中立位置に保持される揺動リンクにより回転シャフトのピンを往復方向に押圧移動させ、回転シャフトを所定角度に回転させる往復動作体とを扉体の表面に固定される椀型のサムターンカバー内に収納してなり、
前記回転シャフトの一端は、サムターンカバーから露出するサムターンに連結されるとともに他端は扉体内方に延設されて、扉体内に固定される箱錠に形成されるデッドボルト操作入力部に嵌合可能な電気錠に使用する箱錠操作装置。
【発明の詳細な説明】
【０００１】
【発明の属する技術分野】
本発明は電気錠、および電気錠に使用する箱錠操作装置に関するものである。
【０００２】
【従来の技術】
従来、電気信号により扉体の施解錠を行う電気錠としては、真正コード信号により扉体内部に配置されたソレノイド等のアクチュエータを操作し、ラッチボルトを制御するように構成される。
【０００３】
【発明が解決しようとする課題】
上述した従来例において、施錠状態はラッチボルトの進退を禁止すること等により行われるものであるが、ラッチの操作による施錠は以下の点で欠点を有する。
【０００４】
すなわち、ラッチはハンドルの操作により円滑にロック穴との係止解除状態に移行させることが要求されるために一般に施錠時の突出量が少なく、かつ、扉体の閉扉操作により自動的に一旦収没位置まで後退する必要があることから背面部に傾斜面を形成する必要があるために、デッドボルトによる施錠を行うものに比して不正開扉操作に対する強度が不足するという欠点を有する。
【０００５】
本発明は、以上の欠点を解消すべくなされたもので、不正開扉操作に対して所望の強度を有した電気錠の提供を目的とする。
【０００６】
【課題を解決するための手段】
本発明によれば上記目的は、
扉体１内に収容され、デッドボルト操作入力部２０を時計、反時計回りに所定角度回転させてデッドボルト２１をドア枠のデッドボルト係合孔に進退させて扉体１の施解錠を行う箱錠２と、
扉体１外部から操作可能なサムターン３に加えられた回転操作力を箱錠２のデッドボルト操作入力部２０に伝達する回転シャフト４と、
真正コード信号を受信した際に制御部５から出力される駆動信号により電動駆動され、前記回転シャフト４に対して該回転シャフト４側からの動力伝達が不可能に回転操作力を伝える電動駆動部６とを有し、
真正コード信号の発信とサムターン３への回転操作の付与のいずれかの操作により箱錠２の施解錠操作が可能な電気錠であって、
前記電動駆動部６は、制御部５からの駆動信号により駆動されるモータ６０と、
モータ６０の回転を減速する減速歯車列６１の最終段ギア６２により真正コード信号の受信毎に一往復駆動され、原位置において回転シャフト４の回転領域外に位置して回転シャフト４からの力の伝達が遮断されるとともに、往経路上で回転シャフト４に干渉して回転操作を与える往復動作体６３とを有する電気錠を提供することにより達成される。
【０００７】
扉体１内にはラッチボルト２２を備えた箱錠２が収容され、箱錠２のデッドボルト２１をドア枠に形成されたデッドボルト係合穴に係合させて施錠される。箱錠２はデッドボルト２１の進退操作を行うデッドボルト操作入力部２０を有し、デッドボルト操作入力部２０と扉体１外部に配置されるサムターン３とが回転シャフト４を介して連結されて、サムターン３よりデッドボルト２１の操作がなされる。
【０００８】
電動駆動部６は、制御部５からの駆動信号により作動するアクチュエータを有し、回転シャフト４に回転操作力を伝達する。制御部５は、例えばキーの代わりとなる赤外線発信装置、あるいは扉体１の室外側表面に備え付けられたキーコード入力装置からのコード信号を判定し、該コード信号が真正コード信号である場合には、駆動信号を送出する。
【０００９】
電動駆動部６のアクチュエータとしては重量、コスト等を考慮してモータ６０を使用するのが望ましく、減速歯車列６１を介することにより所望の操作力を得ることができる。電動駆動部６から回転シャフト４への回転力の伝達は、減速歯車列６１の回転運動をそのまま歯車等を介して行う以外に、後述するように、回転−直線運動変換機構を介して一旦往復運動に変換した後、回転シャフト４との間に直線−回転運動変換機構を構成し、回転シャフト４を回転させることも可能である。
【００１０】
上記電動駆動部６から回転シャフト４への回転動力の伝達は、不可逆的に行われ、サムターン３の操作時における電動駆動部６との干渉が防止される。ここで不可逆的な伝達とは、電動駆動部６側から回転シャフト４への動力伝達は可能であるが、回転シャフト４側から電動駆動部６への動力伝達が不可能な状態をいうもので、電動駆動部６から回転シャフト４への力の伝達機構に応じて種々の周知の機構を使用することが可能である。
【００１１】
すなわち、一般に電動駆動部６における回転をギア等により直接回転シャフト４に伝達する構成を取る場合には、電動駆動部６における回転シャフト４との噛み合いギアの噛み合いを電動駆動部６側からの駆動が終了した後解除したり、あるいは周知のクラッチ機構を構成することにより達成可能である。また、電動駆動部６における往復運動を回転シャフト４に伝達する構成を取る場合には、後に詳述するように、不可逆的伝達はきわめて簡単な構成で達成可能である。
【００１２】
デッドボルト２１の進退は、デッドボルト操作入力部２０に与えられた回転方向により決定されるもので、電動駆動部６を経由した伝達系において回転シャフト４の回転方向を制御する方法も、電動駆動部６からの力の伝達機構に応じて種々の変形が可能であり、電動駆動部６における回転をギア等により直接回転シャフト４に伝達する構成を取る場合には、真正コード信号の一回の受信毎にモータ６０を逆方向に駆動させるように制御部５を構成すれば足りる。
【００１３】
したがって本発明において、一般に室外から送出される電気信号であるコード信号を制御部５により処理して電動駆動部６を駆動することにより、回転シャフト４は施錠、あるいは解錠方向に回転して箱錠２のデッドボルト２１を進退させることができ、さらに、一般に室内側に設置されるサムターン３を操作することによっても箱錠２の操作が可能になる。
【００１４】
サムターン３への直接操作と、電動駆動部６による箱錠２の操作を同一回転シャフト４への操作により行う本発明において、電動駆動部６の強度が電気錠の不正開扉操作時の強度に影響せず、さらに、施錠はデッドボルト２１により行われるために、ラッチボルト２２のみを操作する場合に比して不正開扉操作に対する強度が飛躍的に向上する。
【００１５】
また、電動駆動部６からの回転シャフト４への動力伝達は不可逆的に行われ、回転シャフト４の回転操作では電動駆動部６は何等の影響を受けないために、デッドボルト２１に対して加えられる不正開扉操作によって電動駆動部６が破壊されることが完全に防止される。
【００１６】
さらに、電動駆動部６における往復動作を利用して回転シャフト４の回転操作を行うための構成が提供される。すなわち、電動駆動部６は、制御部５からの駆動信号により駆動されるモータ６０と、モータ６０の回転を減速する減速歯車列６１の最終段ギア６２により真正コード信号の受信毎に一往復駆動される往復動作体６３とを有して構成される。
【００１７】
真正コード信号の受信毎に一往復動作する往復動作体６３を介して回転シャフト４を所定角度回転させることによる利点の一つは、不可逆的な伝達機構を簡単な構成で構築することができる点にあり、往復動作体６３は、原位置において回転シャフト４の回転領域外に位置して回転シャフト４からの力の伝達が遮断され、往経路上で回転シャフト４に干渉して該回転シャフト４に回転操作を与えた後、再び原位置に復帰して回転シャフト４に対して遮断される。
【００１８】
また、請求項２記載の発明において、回転シャフト４は、往復動作体６３の動作経路上に配置され、施解錠操作によりいずれか一方が交互に往復動作体６３に接近する一対のピン４０ａ、４０ｂを回転中心に対して点対称位置に有しており、往復動作体６３は、往復動作中に回転シャフト４の接近側ピン４０ａに干渉して該ピン４０ａを非接近位置に押しやることによって回転シャフト４が所定角度回転する。回転シャフト４の回転により、非接近位置にあったピン４０ｂは、接近位置まで移動して次ターンの往復動作体６３による操作の準備がなされる（図６参照）。
【００１９】
往復動作体６３により接近側のピン４０ａを非接近位置に移動させた際に、接近位置に移動してくる非接近側のピン４０ｂと往復動作体６３の干渉を防止するためには、制御部５により制御される適宜のアクチュエータにより、往復動作体６３を干渉防止位置まで移動させることにより達成可能であるが、請求項３記載の発明に示すように、簡単な構成で干渉を防止することができる。
【００２０】
すなわち、請求項３記載の発明において、往復動作体６３は、リンク保持体６４と、リンク保持体６４に揺動自在に枢支され、トーションスプリング６５ａにより中立位置に保持される揺動リンク６５とを有して構成される。揺動リンク６５はリンク保持体６４の往復動作とともに往復動作し、押圧部６５ｂが接近側のピン４０ａに衝接した後は、ピン４０ａを非接近位置に押しやりながらトーションスプリング６５ａの反力に抗してピン４０ａの移動方向に揺動し、接近してくる非接近位置にあったピン４０ｂとの干渉が防止される（図６参照）。
【００２１】
往復動作体６３を一回の真正コード信号の受信に対して一往復させるためには、モータ６０の回転数を制御部５により制御することにより容易に実施可能であるが、請求項４記載の発明に示すように、減速歯車列６１の最終段ギア６２の回転角度を検出することにより実施することが可能である。すなわち、請求項４記載の発明において、モータ６０は制御部５からの駆動信号の受信をトリガとして回転駆動が開始され、最終段ギア６２には一回転した際にモータ６０の回転を停止するスイッチ６６を動作させるカム部６２ａが設けられる。
【００２２】
したがって本発明において、真正コード信号を受信した制御部５はモータ６０の駆動開始信号を生成し、該駆動開始信号によりモータ６０の回転が開始される。往復動作体６３の一往復動作終了時にモータ６０の回転を停止するために、往復動作体６３への伝達要素、すなわち、減速歯車列６１の最終段ギア６２の回転角度はスイッチ６６により機械的に検出される。
【００２３】
モータ６０の停止時期を最終段ギア６２の回転により機械的に検出することにより、制御部５におけるモータ６０の回転数制御が不要となるばかりでなく、制御部５を例えば対応する赤外線発信装置からの真正コード信号を受けることにより電源ＯＮ信号を出力し、モータ６０駆動中にモータ停止信号を受けた際には電源ＯＦＦ信号を出力するように構成するだけでよくなるために、電動駆動部６の細部の機械的構成の差異に影響されることなく、共通の制御部５を構成することが可能となり、制御部５の汎用性、および独立性を確保することが可能になる。
【００２４】
請求項５記載の発明において、上述した電気錠に利用可能な箱錠操作装置が提供される。すなわち、箱錠操作装置は、
制御部５からの駆動信号により駆動されるモータ６０と、モータ６０により最終段ギア６２を減速回転させる減速歯車列６１と、最終段ギア６２が一回転した際にモータ６０の駆動を停止するスイッチ６６と、減速歯車列６１の回転軸と平行な軸回りに回転自在で、回転中心に対して点対称位置に一対のピン４０ａ、４０ｂを備えた回転シャフト４と、最終段ギア６２の回転により一往復動作し、トーションスプリング６５ａにより中立位置に保持される揺動リンク６５が回転シャフト４のピン４０ａ、４０ｂを往復方向に押圧移動させ、回転シャフト４を所定角度に回転させる往復動作体６３とを有し、椀型のサムターンカバー７内に収納して一体化される。
【００２５】
サムターンカバー７は、扉体１の表面に固定され、扉体１への取付状態において、回転シャフト４は扉体１内に固定された箱錠２のデッドボルト操作入力部２０に嵌合し、回転シャフト４の操作によるデッドボルト２１の進退操作が行われる。
【００２６】
したがって本発明において、箱錠操作装置を既存の扉錠に代えて装着するとともに、制御部５が内蔵されたコントロールユニット５０を扉体１内、あるいは扉体１の表面に装着し、これらコントロールユニット５０と箱錠操作装置のモータ６０の電源端子をハーネス５１で接続するだけで電気錠に変更することが可能になる。
【００２７】
【発明の実施の形態】
図７に本発明の実施の形態を示す。電気錠は、扉体１内に固定される箱錠２と、扉体１の表裏面に配置されるハンドル１０、１０’と、扉体１の室外側表面に固定されるシリンダ錠１１と、扉体１の室内側表面に固定される箱錠操作装置Ａと、箱錠操作装置Ａの制御部５を内蔵したコントロールユニット５０とから構成される。
【００２８】
コントロールユニット５０内の制御部５は、キーの代わりとなる図示しない赤外線発信装置からのコード信号を受信し、コード信号が真正コード信号であると判定した際に駆動信号を発信し、コントロールユニット５０内に収納された電池５２から箱錠操作装置Ａに対して給電するように構成された電子回路であり、コントロールユニット５０からは、箱錠操作装置Ａへの給電と、箱錠操作装置Ａ側からの信号を受信するためのハーネス５１が引き出され、箱錠操作装置Ａ側のコネクタ５３にプラグインすることにより電気的に接続される。
【００２９】
一方、箱錠２は、ラッチボルト２２とデッドボルト２１とを有する。ラッチボルト２２は扉体１の端面に配置され、図示しない付勢手段により飛び出し方向に付勢される。このラッチボルト２２は、扉体１の閉扉操作時に図示しないドア枠に干渉して一旦扉体１内に収没した後、再びドア枠に開設されたラッチボルト係止穴（図示せず）に係止するように、閉扉操作方向に傾斜面２３を有して断面三角形状に形成される。また、箱錠２にはラッチボルト２２を操作するためのラッチボルト操作部２４が扉体１の表面に向けて貫通状に設けられており、該ラッチボルト操作部２４に室内外に配置されるハンドル１０、１０’を連結するスピンドル１０ａが貫通される。
【００３０】
デッドボルト２１は、扉体１の端面からドア枠に開設されたデッドボルト係合穴（図示せず）に進退して扉体１を施解錠するブロック体であり、箱錠２にはデッドボルト２１を操作するためのデッドボルト操作入力部２０が開設される。デッドボルト操作入力部２０は、扉体１の表面側に向けて開口され、室外側からは真正キー１３によってのみ回転操作可能なシリンダ錠１１の操作部１２が嵌合し、室内側からは後述する箱錠操作装置Ａの回転シャフト４の嵌合部４１が嵌合される。
【００３１】
したがってこの実施の形態において、デッドボルト２１が解錠状態にある場合には、ハンドル１０を操作することにより扉体１の開閉を自由に行うことができ、室外側から真正キー１３によってシリンダ錠１１を操作したり、あるいは箱錠操作装置Ａの操作によりデッドボルト２１を施錠位置にすることができ、施錠状態においては、デッドボルト２１が開扉動作を阻止して不正開扉を防止する。
【００３２】
箱錠操作装置Ａは、図１ないし図５に示すように、電動駆動部６とサムターン３に連結される回転シャフト４とを椀型のサムターンカバー７内に収納して形成され、電動駆動部６は、取付板７０を介して組み付けられたサブアッセンブリ体６７と、往復動作体６３とからなる。
【００３３】
サブアッセンブリ体６７は、図３に詳細を示すように、取付板７０に切り起こされたモータ固定片７０ａに固定されるモータ６０と、モータ６０の回転軸に固定されたウオームギア６０ａに噛合する減速歯車列６１とを有し、減速歯車列６１を構成する各ギア６１ａ、６１ｂ、６１ｃは取付板７０に突設された軸部に枢支される。
【００３４】
上記減速歯車列６１の最終段ギア６２にはカム部６２ａと突部６２ｂが形成される。カム部６２ａは一個の凹部６２ｃを有する円筒カムであり、カム部６２ａの周壁には、取付板７０に固定される基板６７ａ上に実装されるスイッチ６６のレバー部６６ａが摺接する。スイッチ６６は、レバー部６６ａが凹部６２ｃに嵌合している状態においてオープンとなるノーマルオープン仕様のマイクロスイッチであり、制御部５は、モータ６０が駆動された後、スイッチ６６のＯＮ／ＯＦＦ状態を検出し、スイッチ６６がＯＦＦ状態となった際に駆動停止信号を生成し、モータ６０への給電を停止するように構成される。
【００３５】
往復動作体６３は、図４に示すように、サムターンカバー７の内壁に形成されるガイド（図示せず）に沿って摺動自在に保持されるレトラクタ６４ａに摺動プレート６４ｂを固定したリンク保持体６４と、摺動プレート６４ｂに沿って揺動軸６５ｃ回りに揺動自在な揺動リンク６５とからなり、レトラクタ６４ａに開設された遊嵌穴６４ｃに減速歯車列６１の最終段ギア６２の突部６２ｂを遊嵌することにより、減速歯車列６１の回転に同期して往復動作する。
【００３６】
揺動リンク６５は、揺動軸６５ｃに対してほぼ対称形状に形成される板状体であり、トーションスプリング６５ａにより中立位置に付勢される。また、摺動プレート６４ｂには揺動リンク６５側に折曲されて揺動リンク６５の揺動角度を規制するストッパ片６４ｄが形成される。
【００３７】
一方、回転シャフト４は、取付板７０に固定されるシャフト保持体７１により回転自在に保持される。この回転シャフト４は、一端が扉体１内に固定される箱錠２に向かって延設され、その先端に箱錠２のデッドボルト操作入力部２０に嵌合する嵌合部４１が形成される。また、回転シャフト４の他端には図５に示すように、一対のピン４０ａ、４０ｂが突設され、ピン４０ａ、４０ｂの先端に突設されたボス４０ｃに嵌合するジョイント４２を介してサムターン３が連結される。なお、図５において４３はジョイント４２をサムターンカバー７の開口７２に回転操作可能に装着するための止め輪、３０はサムターン３をジョイント４２に連結するためのボルトを示す。
【００３８】
図６に往復動作体６３の動作を示す。先ず、回転シャフト４は揺動リンク６５の揺動軸６５ｃの往復移動方向（図６（ａ）における矢印６Ａ方向）に回転中心Ｃが位置するように配置される。一対のピン４０ａ、４０ｂは回転シャフト４の回転中心Ｃに対して点対称位置で、かつ、２個のピン４０ａ、４０ｂを結ぶ線分と、揺動リンク６５の揺動軸６５ｃの往復移動方向に直交する線とのなす角度θが施解錠のために箱錠２のデッドボルト操作入力部２０に与える回転角度の１／２となる位置に配置される。
【００３９】
いま、図６において時計回りがデッドボルト２１の施錠操作回転方向、反時計回りが解錠操作回転方向とすると、デッドボルト２１が施錠状態にある時は、図６（ａ）に示すように、一方のピン４０ａが揺動リンク６５の底辺、すなわち押圧部６５ｂからやや離れた状態でセットされる。この状態から往復動作体６３が往復移動すると、揺動リンク６５も同方向に移動しようとするが、回転シャフト４が連結される箱錠２のデッドボルト操作入力部２０での回転抵抗力により回転シャフト４には回転抵抗があるために、揺動リンク６５はピン４０ａから上方への反力Ｒを受け、揺動リンク６５には時計回りの回転モーメントＭが発生する。この回転モーメントＭにより揺動リンク６５は押圧部６５ｂのピン４０ａ外周との接点を移動させながらトーションスプリング６５ａの反力により時計回りに揺動しつつピン４０ａを下方に押し下げる。
【００４０】
揺動リンク６５の揺動は、上記ストッパ片６４ｄにストッパ部が衝接するか、あるいは図６（ｂ）に示すように、押圧片のピン４０ａ外周との接点Ｔと揺動軸６５ｃ間の距離Ｌが最小となる位置、すなわち、ピン４０ａが押圧部６５ｂの中心上に位置するまで可能であり、この間に回転シャフト４は押圧部６５ｂによる下方への押し下げ力により反時計方向に回転する。
【００４１】
揺動リンク６５は下降位置において回転シャフト４をデッドボルト２１の操作角度分だけ回転させ、デッドボルト２１を解錠位置に移動させる。このストローク終端位置においては、図６（ｃ）に示すように、一方のピン４０ａが非接近位置側に移動するとともに、他方のピン４０ｂが接近位置側に移動しており、揺動姿勢の揺動リンク６５と他方のピン４０ｂとの干渉が防止される。
【００４２】
ストローク終端位置に達した揺動リンク６５は側端を他方のピン４０ｂに摺接させながら再び上方に移動し、原位置に復帰する。
以上のようにして、揺動リンク６５が往復動作を繰り返す毎に、接近位置側のピン４０ａが非接近位置に退避するとともに、非接近位置側のピン４０ｂが接近位置に移動しつつ回転シャフト４は交互に逆方向に回転駆動され、デッドボルト２１を進退させる。
【００４３】
したがってこの実施の形態において、室外側から真正コード信号を送信すると、コントロールユニット５０内の制御部５は駆動信号を生成し、電池５２からモータ６０への給電を開始し、モータ６０が駆動される。モータ６０の回転動力は減速歯車列６１により減速されて最終段ギア６２に伝達され、レトラクタ６４ａを往復駆動する。
【００４４】
最終段ギア６２の回転はスイッチ６６、および制御部５において検出されており、最終段ギア６２が一回転した時にモータ６０の駆動を停止する。この結果、一回の真正コードの送信に対してレトラクタ６４ａは一往復駆動され、上述した機構により回転シャフト４を交互に逆方向に回転させてデッドボルト２１の進退を操作する。
【００４５】
一方、室内側に配置されるサムターン３を回転させた場合には、直接回転シャフト４が回転し、同様にデッドボルト２１の操作が行われる。
【００４６】
【発明の効果】
以上の説明から明らかなように、本発明によれば、デッドボルトを電動により操作することができるために、不正開扉に対する強度を飛躍的に高めることができる。
【図面の簡単な説明】
【図１】本発明の要部を示す分解斜視図である。
【図２】箱錠操作装置の分解斜視図である。
【図３】サブアッセンブリ体の分解斜視図である。
【図４】往復動作体の分解斜視図である。
【図５】サムターンの装着状態を示す分解斜視図である。
【図６】往復動作体の作用を示す説明図で、（ａ）は原位置における図、（ｂ）は揺動リンクの揺動状態を示す図、（ｃ）は回転シャフトを回転させた状態を示す図である。
【図７】本発明に係る電気錠を示す全体構成図である。
【符号の説明】
１      扉体
２      箱錠
２０    デッドボルト操作入力部
３      サムターン
４      回転シャフト
４０ａ、４０ｂ  ピン
５      制御部
６      電動駆動部
６０    モータ
６１    減速歯車列
６２    最終段ギア
６２ａ  カム部
６３    往復動作体
６４    リンク保持体
６５    揺動リンク
６５ａ  トーションスプリング
６５ｂ  押圧辺
６６    スイッチ
７      サムターンカバー
Ａ      箱錠操作装置
【図１】
0003751097.tif 000002
【図２】
0003751097.tif 000003
【図３】
0003751097.tif 000004
【図４】
0003751097.tif 000005
【図５】
0003751097.tif 000006
【図６】
0003751097.tif 000007
【図７】
0003751097.tif 000008